(57)【特許請求の範囲】
【請求項１】
複数のアンテナビームを有する適応アンテナによってデータの送受信を行う基地局と、該基地局との間にてデータの送受信を行う移動局と、前記移動局の無線回線を制御する回線制御局とからなる移動通信システムにおける通信制御方法であって、
基準位相情報として用いるために前記複数のアンテナビーム毎に送信される共通パイロットチャネルを前記基地局から前記回線制御局に要求するステップと、
前記基地局からの要求に応じて前記回線制御局にて前記共通パイロットチャネルを設定し、該共通パイロットチャネルを前記基地局及び前記移動局に通知するステップと、
前記回線制御局から通知された共通パイロットチャネルを前記基準位相情報として用いて前記移動局にて前記基地局から送信されてきたデータを復調するステップとを有する通信制御方法。
【請求項２】
請求項１に記載の通信制御方法において、
前記複数のアンテナビームの数を前記基地局から前記回線制御局に通知するステップと、
前記基地局から通知された前記アンテナビームの数分の前記共通パイロットチャネルを前記回線制御局にて割り当て、該共通パイロットチャネルを前記回線制御局から前記基地局に通知するステップと、
前記回線制御局から通知された複数の共通パイロットチャネルの中から、データを送受信する移動局との間にて最適な共通パイロットチャネルを選択し、該共通パイロットチャネルを送信しているアンテナビームと同じアンテナビームでデータを前記移動局に送信するとともに、該共通パイロットチャネルを前記基地局から前記回線制御局を介して前記移動局に通知するステップと、
前記基地局から前記回線制御局を介して通知された共通パイロットチャネルを前記基準位相情報として用いて前記移動局にて前記基地局から送信されてきたデータを復調するステップとを有する通信制御方法。
【請求項３】
請求項１に記載の通信制御方法において、
前記基地局にて前記移動局の位置から該移動局にとって最適な前記共通パイロットチャネルの受信タイミングを検出し、該受信タイミングで送信しているアンテナビームと同じアンテナビームでデータを前記移動局に送信するとともに、該受信タイミングを前記基地局から前記回線制御局を介して前記移動局に通知するステップと、
前記基地局から前記回線制御局を介して通知された受信タイミングに基づいた共通パイロットチャネルを前記基準位相情報として用いて前記移動局にて前記基地局から送信されてきたデータを復調するステップとを有する通信制御方法。
【請求項４】
請求項１に記載の通信制御方法において、
前記複数のアンテナビームの数を前記基地局から前記回線制御局に通知するステップと、
前記基地局から通知された前記アンテナビームの数分の前記共通パイロットチャネルを前記回線制御局にて割り当て、該共通パイロットチャネルを前記回線制御局から前記基地局に通知するステップと、
前記回線制御局から通知された複数の共通パイロットチャネルを送信しているアンテナビームと同じアンテナビームでデータを前記基地局から前記移動局に送信するステップと、
前記移動局にて前記基地局から送信された前記複数の共通パイロットチャネルの中から受信品質の最も良い共通パイロットチャネル選択し、該共通パイロットチャネルを前記基地局に報告するとともに、該共通パイロットチャネルを前記基準位相情報として設定するステップと、
前記移動局から報告された共通パイロットチャネルを送信しているアンテナビームを用いて前記基地局から前記移動局にデータを送信するステップとを有する通信制御方法。
【請求項５】
移動局毎にアンテナビームを有する適応アンテナによって前記移動局との間にてデータの送受信を行う基地局と、前記移動局の無線回線を制御する回線制御局とからなる移動通信システムにおける通信制御方法であって、
基準位相情報として用いるために前記アンテナビーム毎に送信される共通パイロットチャネルを前記基地局から前記回線制御局に要求するステップと、
前記基地局からの要求に応じて前記回線制御局にて前記移動局毎に前記共通パイロットチャネルを設定し、該共通パイロットチャネルを前記基地局及び前記移動局に通知するステップと、
前記回線制御局から通知された共通パイロットチャネルを前記基準位相情報として用いて前記移動局にて前記基地局から送信されてきたデータを復調するステップとを有する通信制御方法。
【請求項６】
複数のアンテナビームを有する適応アンテナによってデータの送受信を行う基地局と、該基地局との間にてデータの送受信を行う移動局と、前記移動局の無線回線を制御する回線制御局とからなる移動通信システムにおける通信制御方法であって、
前記基地局にて適応アンテナを適用していることを前記回線制御局に報告するステップと、
基準位相情報として個別パイロットチャネルを設定することを前記回線制御局から前記移動局に指示するステップと、
前記移動局にて前記回線制御局からの指示に従って個別パイロットチャネルを前記基準位相情報として設定し、前記個別パイロットチャネルを前記基準位相情報として用いて前記基地局から送信されてきたデータを復調するステップとを有する通信制御方法。
【請求項７】
移動局毎にアンテナビームを有する適応アンテナによって前記移動局との間にてデータの送受信を行う基地局と、前記移動局の無線回線を制御する回線制御局とからなる移動通信システムにおける通信制御方法であって、
前記基地局にて適応アンテナを適用していることを前記回線制御局に報告するステップと、
基準位相情報として個別パイロットチャネルを設定することを前記回線制御局から前記移動局に指示するステップと、
前記移動局にて前記回線制御局からの指示に従って個別パイロットチャネルを前記基準位相情報として設定し、前記個別パイロットチャネルを前記基準位相情報として用いて前記基地局から送信されてきたデータを復調するステップとを有する通信制御方法。
【請求項８】
複数のアンテナビームを有する適応アンテナによってデータの送受信を行う基地局と、
該基地局との間にてデータの送受信を行う移動局と、
前記移動局の無線回線を制御する回線制御局とを有し、
前記基地局は、基準位相情報として用いるために前記複数のアンテナビーム毎に送信される共通パイロットチャネルを前記回線制御局に要求し、
前記回線制御局は、前記基地局からの要求に応じて前記共通パイロットチャネルを設定し、該共通パイロットチャネルを前記基地局及び前記移動局に通知し、
前記移動局は、前記回線制御局から通知された共通パイロットチャネルを前記基準位相情報として用いて前記基地局から送信されてきたデータを復調する移動通信システム。
【請求項９】
請求項８に記載の移動通信システムにおいて、
前記回線制御局は、前記基地局から通知された前記アンテナビームの数分の前記共通パイロットチャネルを割り当て、該共通パイロットチャネルを前記基地局に通知し、
前記基地局は、前記回線制御局から通知された複数の共通パイロットチャネルの中から、データを送受信する移動局との間にて最適な共通パイロットチャネルを選択し、該共通パイロットチャネルを送信しているアンテナビームと同じアンテナビームでデータを前記移動局に送信するとともに、該共通パイロットチャネルを前記回線制御局を介して前記移動局に通知し、
前記移動局は、前記基地局から前記回線制御局を介して通知された共通パイロットチャネルを前記基準位相情報として用いて前記基地局から送信されてきたデータを復調する移動通信システム。
【請求項１０】
請求項８に記載の移動通信システムにおいて、
前記基地局は、前記移動局の位置から該移動局にとって最適な前記共通パイロットチャネルの受信タイミングを検出し、該受信タイミングで送信しているアンテナビームと同じアンテナビームでデータを前記移動局に送信するとともに、該受信タイミングを前記回線制御局を介して前記移動局に通知し、
前記移動局は、前記基地局から前記回線制御局を介して通知された受信タイミングに基づいた共通パイロットチャネルを前記基準位相情報として用いて前記基地局から送信されてきたデータを復調する移動通信システム。
【請求項１１】
請求項８に記載の移動通信システムにおいて、
前記回線制御局は、前記基地局から通知された前記アンテナビームの数分の前記共通パイロットチャネルを割り当て、該共通パイロットチャネルを前記基地局に通知し、
前記基地局は、前記回線制御局から通知された複数の共通パイロットチャネルを送信しているアンテナビームと同じアンテナビームでデータを前記移動局に送信し、
前記移動局は、前記基地局から送信された前記複数の共通パイロットチャネルの中から受信品質の最も良い共通パイロットチャネル選択し、該共通パイロットチャネルを前記基地局に報告するとともに、該共通パイロットチャネルを前記基準位相情報として設定し、
前記基地局は、前記移動局から報告された共通パイロットチャネルを送信しているアンテナビームを用いて前記移動局にデータを送信する移動通信システム。
【請求項１２】
移動局と、
該移動局毎にアンテナビームを有する適応アンテナによって前記移動局との間にてデータの送受信を行う基地局と、
前記移動局の無線回線を制御する回線制御局とを有し、
前記基地局は、基準位相情報として用いるために前記アンテナビーム毎に送信される共通パイロットチャネルを前記回線制御局に要求し、
前記回線制御局は、前記基地局からの要求に応じて前記移動局毎に前記共通パイロットチャネルを設定し、該共通パイロットチャネルを前記基地局及び前記移動局に通知し、
前記移動局は、前記回線制御局から通知された共通パイロットチャネルを前記基準位相情報として用いて前記基地局から送信されてきたデータを復調する移動通信システム。
【請求項１３】
複数のアンテナビームを有する適応アンテナによってデータの送受信を行う基地局と、
該基地局との間にてデータの送受信を行う移動局と、
前記移動局の無線回線を制御する回線制御局とを有し、
前記基地局は、適応アンテナを適用していることを前記回線制御局に報告し、
前記回線制御局は、基準位相情報として個別パイロットチャネルを設定することを前記移動局に指示し、
前記移動局は、前記回線制御局からの指示に従って個別パイロットチャネルを前記基準位相情報として設定し、前記個別パイロットチャネルを前記基準位相情報として用いて前記基地局から送信されてきたデータを復調する移動通信システム。
【請求項１４】
移動局と、
該移動局毎にアンテナビームを有する適応アンテナによって前記移動局との間にてデータの送受信を行う基地局と、
前記移動局の無線回線を制御する回線制御局とを有し、
前記基地局は、適応アンテナを適用していることを前記回線制御局に報告し、
前記回線制御局は、基準位相情報として個別パイロットチャネルを設定することを前記移動局に指示し、
前記移動局は、前記回線制御局からの指示に従って個別パイロットチャネルを前記基準位相情報として設定し、前記個別パイロットチャネルを前記基準位相情報として用いて前記基地局から送信されてきたデータを復調する移動通信システム。
【請求項１５】
複数のアンテナビームを有する適応アンテナによって移動局との間にてデータの送受信を行う基地局であって、
基準位相情報として用いるために前記複数のアンテナビーム毎に送信される共通パイロットチャネルを、前記移動局の無線回線を制御する回線制御局に要求し、前記回線制御局から通知された共通パイロットチャネルを送信するアンテナビームを用いてデータを送受信する基地局。
【請求項１６】
請求項１５に記載の基地局において、
前記複数のアンテナビームの数を前記回線制御局に通知し、前記回線制御局から通知された前記アンテナビーム毎の共通パイロットチャネルの中から、データを送受信する移動局との間にて最適な共通パイロットチャネルを選択し、該共通パイロットチャネルを送信しているアンテナビームと同じアンテナビームでデータを前記移動局に送信するとともに、該共通パイロットチャネルを前記回線制御局を介して前記移動局に通知する基地局。
【請求項１７】
請求項１５に記載の基地局において、
前記移動局の位置から該移動局にとって最適な前記共通パイロットチャネルの受信タイミングを検出し、該受信タイミングで送信しているアンテナビームと同じアンテナビームでデータを前記移動局に送信するとともに、該受信タイミングを前記回線制御局を介して前記移動局に通知する基地局。
【請求項１８】
請求項１５に記載の基地局において、
前記回線制御局から通知された複数の共通パイロットチャネルを送信しているアンテナビームと同じアンテナビームでデータを前記移動局に送信し、当該基地局から送信された前記複数の共通パイロットチャネルの中から受信品質の最もよい共通パイロットチャネルが前記移動局から報告された場合に、報告された共通パイロットチャネルを送信しているアンテナビームを用いて前記移動局にデータを送信する基地局。
【請求項１９】
移動局毎にアンテナビームを有する適応アンテナによって前記移動局との間にてデータの送受信を行う基地局であって、
基準位相情報として用いるために前記アンテナビーム毎に送信される共通パイロットチャネルを、前記移動局の無線回線を制御する回線制御局に要求し、前記回線制御局から通知された共通パイロットチャネルを送信するアンテナビームを用いてデータを送受信する基地局。
【請求項２０】
複数のアンテナビームを有する適応アンテナを具備する基地局との間にて前記適応アンテナによってデータの送受信を行う移動局の無線回線を制御する回線制御局であって、
前記基地局から基準位相情報として用いるために前記複数のアンテナビーム毎に送信される共通パイロットチャネルが要求された場合に、前記共通パイロットチャネルを設定し、該共通パイロットチャネルを前記基地局及び前記移動局に通知する回線制御局。
【請求項２１】
請求項２０に記載の回線制御局において、
前記基地局から前記アンテナビームの数が通知された場合に、通知された前記アンテナビームの数分の前記共通パイロットチャネルを割り当て、該共通パイロットチャネルを前記基地局に通知する回線制御局。
【請求項２２】
移動局毎にアンテナビームを有する適応アンテナを具備する基地局との間にて前記適応アンテナによってデータの送受信を行う前記移動局の無線回線を制御する回線制御局であって、
前記基地局から基準位相情報として用いるために前記移動局毎のアンテナビーム毎に送信される共通パイロットチャネルが要求された場合に、前記移動局毎に共通パイロットチャネルを設定し、該共通パイロットチャネルを前記基地局及び前記移動局に通知する回線制御局。
【請求項２３】
複数のアンテナビームを有する適応アンテナを具備する基地局との間にて前記適応アンテナによってデータの送受信を行う移動局の無線回線を制御する回線制御局であって、
前記適用アンテナを適用していることが前記基地局から報告された場合に、基準位相情報として個別パイロットチャネルを設定することを前記移動局に指示する回線制御局。
【請求項２４】
移動局毎にアンテナビームを有する適応アンテナを具備する基地局との間にて前記適応アンテナによってデータの送受信を行う前記移動局の無線回線を制御する回線制御局であって、
前記適用アンテナを適用していることが前記基地局から報告された場合に、基準位相情報として個別パイロットチャネルを設定することを前記移動局に指示する回線制御局。
【請求項２５】
コンピュータに、
複数のアンテナビームを有する適応アンテナによって移動局との間にてデータの送受信を行う基地局において、基準位相情報として用いるために前記複数のアンテナビーム毎に送信される共通パイロットチャネルを、前記移動局の無線回線を制御する回線制御局に要求する手順と、
前記回線制御局から通知された共通パイロットチャネルを送信するアンテナビームを用いてデータを送受信する手順とを実行させるためのプログラム。
【請求項２６】
請求項２５に記載のプログラムにおいて、
コンピュータに、
前記複数のアンテナビームの数を前記回線制御局に通知する手順と、
前記回線制御局から通知された前記アンテナビーム毎の共通パイロットチャネルの中から、データを送受信する移動局との間にて最適な共通パイロットチャネルを選択する手順と、
該共通パイロットチャネルを送信しているアンテナビームと同じアンテナビームでデータを前記移動局に送信するとともに、該共通パイロットチャネルを前記回線制御局を介して前記移動局に通知する手順とを実行させるためのプログラム。
【請求項２７】
コンピュータに、
移動局毎にアンテナビームを有する適応アンテナによって前記移動局との間にてデータの送受信を行う基地局において、基準位相情報として用いるために前記アンテナビーム毎に送信される共通パイロットチャネルを、前記移動局の無線回線を制御する回線制御局に要求する手順と、
前記回線制御局から通知された共通パイロットチャネルを送信するアンテナビームを用いてデータを送受信する手順とを実行させるためのプログラム。
【請求項２８】
コンピュータに、
複数のアンテナビームを有する適応アンテナを具備する基地局との間にて前記適応アンテナによってデータの送受信を行う移動局の無線回線を制御する回線制御局において、前記基地局から基準位相情報として用いるために前記複数のアンテナビーム毎に送信される共通パイロットチャネルが要求された場合に、前記共通パイロットチャネルを設定する手順と、
該共通パイロットチャネルを前記基地局及び前記移動局に通知する手順とを実行させるためのプログラム。
【請求項２９】
請求項２８に記載のプログラムにおいて、
コンピュータに、
前記基地局から前記アンテナビームの数が通知された場合に、通知された前記アンテナビームの数分の前記共通パイロットチャネルを割り当てる手順と、
該共通パイロットチャネルを前記基地局に通知する手順とを実行させるためのプログラム。
【発明の詳細な説明】
【技術分野】
【０００１】
本発明は、通信制御方法、移動通信システム、基地局及び回線制御局に関し、特に、ＣＤＭＡ（Code  Division  Multiple  Access）セルラー方式を用いた通信制御方法、移動通信システム、基地局及び回線制御局に関する。
【背景技術】
【０００２】
従来より、直接拡散符号分割多元接続を用いた移動通信システムにおける下り回線においては、移動局において、基地局から送信されてきたデータを復調するためにPhase  Referenceと呼ばれる物理チャネルが必要となる。移動局においては、この物理チャネルを基準位相情報として用いて、通信路変動（フェ−ジング）を補正するための補正量が推定されている。【０００３】
例えば、次世代移動通信システムであるＷ−ＣＤＭＡ（Wide-band  Code  Division  Multiple  Access）においては、Phase  Referenceとして共通物理チャネルであるP-CPICH（Primary  Common  Pilot  Channel）が原則的に利用されている。また、S-CPICH（Secondary  Common  Pilot  Channel）や、個別物理チャネルのパイロットシンボル（個別Pilot）についても、Phase  Referenceとして利用することが可能である。但し、S-CPICHについては、Phase  Referenceとして利用することが回線制御局によって許可された場合のみ、Phase  Referenceとして利用することができる。また、個別Pilotについては、Phase  Referenceとして常に利用可能となっている。このようなPhase  Referenceの利用方法については、３ＧＰＰ（3rd  Generation  Partnership  Project）仕様書TS25.331  v5.1.0（2002-06）に開示されている。【０００４】
ところで、基地局（ＢＳ:Base  Station）が適応アンテナを用いて移動局とデータ通信を行う、いわゆるBeam-formingにおいては、上り回線におけるデータ受信では、アンテナビームにより他の移動局からの信号を除去あるいは抑制することができるため、受信品質を改善することができる。また、下り回線におけるデータ送信では、データ送信領域がアンテナビームによって制限されるため、同一セル内の他の移動局からのマルチパス干渉の低減、並びに隣接セルの他の移動局からのセル間干渉の低減を図ることができ、それにより、移動局における受信品質の改善を期待することができる。そのため、適応アンテナは、上述したような接拡散符号分割多元接続を用いた移動通信システムにおいても採用されている（例えば、特許公開１９９９−２６６２２８号公報参照。）。なお、適応アンテナの動作原理については、電子情報通信学会誌  Vol.81  No.12  pp.  1254-1260（1998年12月）“アダプティブアレ−と移動通信［Ｉ］”に開示されている。【０００５】
このようなBeam−formingを適用する場合においては、Beam−forming後の伝搬路を表す物理チャネルをPhase  Referenceとして用いることが望ましい。これは、Beam−forming後の信号を受信する移動局には、アンテナ指向性により、セル内に一様に送信されるP−CPICHとは異なる伝播特性が位相変動に現れると考えられるためである。従って、Beam−formingを適用した基地局と接続する移動局においては、Phase  ReferenceとしてP-CPICHではなく、アンテナビーム毎に送信が可能なS-CPICHまたは個別Pilotを適用することが必要である。【０００６】
ここで、データチャネルと同一の指向性で送信されるパイロットチャネルを基地局から移動局に通知する技術が考えられている（例えば、特許公開１９９９−２５２００２号公報参照。）。この技術においては、移動局において、データと共に送信されてくるパイロットチャネルを利用することができる。【０００７】
上述したようにPhase  ReferenceとしてS-CPICHを適用する場合においては、回線制御局から移動局に対してPhase  ReferenceとしてS−CPICHを利用するための指示を出す必要があるが、現在、基地局と回線制御局との間でPhase  Referenceに関する情報のやり取りができない。そのため、回線制御局から移動局に対して、S−CPICHをPhase  Referenceに利用するための指示を出すことができるものの、基地局において、回線制御局から移動局に対して、S−CPICHとしてどの符号を利用するための指示が出されているかという情報を認識することができない。【０００８】
それにより、基地局において、S−CPICHに対してBeam−formingを適用することができず、また、Beam−formingを適用されて送信されたデータを受信した移動局においては、Phase  ReferenceとしてS−CPICHを用いることができないという問題点がある。【０００９】
また、Beam−forming適用時に個別pilotをPhase  Referenceとして用いるためには、移動局において、接続している基地局がBeam−formingを適用しているかどうかを判断する必要があるが、現在、この情報は回線制御局から移動局に対して通知されていないため、移動局において、接続している基地局がBeam−formingを適用しているかどうかに応じて、Phase  ReferenceをP−CPICHから個別pilotに切り替えることができないという問題点がある。
【発明の開示】
【００１０】
本発明は、適応アンテナを適用している基地局と通信を行っている移動局において、通信データと同一の通信路変動を受けたS−CPICHをPhase  Referenceとして利用することができる通信制御方法、移動通信システム、基地局及び回線制御局を提供することを目的とする。
【００１１】
また、適応アンテナを適用している基地局と通信を行っている移動通信システムにおいて、基地局がS−CPICHをPhase  Referenceとして送信していない場合に、移動局においてPhase  Referenceとして個別pilotを適用することができる通信制御方法、移動通信システム、基地局及び回線制御局を提供することを目的とする。
【００１２】
上記目的を達成するために本発明は、
複数のアンテナビームを有する適応アンテナによってデータの送受信を行う基地局と、該基地局との間にてデータの送受信を行う移動局と、前記移動局の無線回線を制御する回線制御局とからなる移動通信システムにおける通信制御方法であって、
基準位相情報として用いるために前記複数のアンテナビーム毎に送信される共通パイロットチャネルを前記基地局から前記回線制御局に要求するステップと、
前記基地局からの要求に応じて前記回線制御局にて前記共通パイロットチャネルを設定し、該共通パイロットチャネルを前記基地局及び前記移動局に通知するステップと、
前記回線制御局から通知された共通パイロットチャネルを前記基準位相情報として用いて前記移動局にて前記基地局から送信されてきたデータを復調するステップとを有する。
【００１３】
また、前記複数のアンテナビームの数を前記基地局から前記回線制御局に通知するステップと、
前記基地局から通知された前記アンテナビームの数分の前記共通パイロットチャネルを前記回線制御局にて割り当て、該共通パイロットチャネルを前記回線制御局から前記基地局に通知するステップと、
前記回線制御局から通知された複数の共通パイロットチャネルの中から、データを送受信する移動局との間にて最適な共通パイロットチャネルを選択し、該共通パイロットチャネルを送信しているアンテナビームと同じアンテナビームでデータを前記移動局に送信するとともに、該共通パイロットチャネルを前記基地局から前記回線制御局を介して前記移動局に通知するステップと、
前記基地局から前記回線制御局を介して通知された共通パイロットチャネルを前記基準位相情報として用いて前記移動局にて前記基地局から送信されてきたデータを復調するステップとを有する。
【００１４】
また、前記基地局にて前記移動局の位置から該移動局にとって最適な前記共通パイロットチャネルの受信タイミングを検出し、該受信タイミングで送信しているアンテナビームと同じアンテナビームでデータを前記移動局に送信するとともに、該受信タイミングを前記基地局から前記回線制御局を介して前記移動局に通知するステップと、
前記基地局から前記回線制御局を介して通知された受信タイミングに基づいた共通パイロットチャネルを前記基準位相情報として用いて前記移動局にて前記基地局から送信されてきたデータを復調するステップとを有する。
【００１５】
また、前記複数のアンテナビームの数を前記基地局から前記回線制御局に通知するステップと、
前記基地局から通知された前記アンテナビームの数分の前記共通パイロットチャネルを前記回線制御局にて割り当て、該共通パイロットチャネルを前記回線制御局から前記基地局に通知するステップと、
前記回線制御局から通知された複数の共通パイロットチャネルを送信しているアンテナビームと同じアンテナビームでデータを前記基地局から前記移動局に送信するステップと、
前記移動局にて前記基地局から送信された前記複数の共通パイロットチャネルの中から受信品質の最も良い共通パイロットチャネル選択し、該共通パイロットチャネルを前記基地局に報告するとともに、該共通パイロットチャネルを前記基準位相情報として設定するステップと、
前記移動局から報告された共通パイロットチャネルを送信しているアンテナビームを用いて前記基地局から前記移動局にデータを送信するステップとを有する。
【００１６】
また、移動局毎にアンテナビームを有する適応アンテナによって前記移動局との間にてデータの送受信を行う基地局と、前記移動局の無線回線を制御する回線制御局とからなる移動通信システムにおける通信制御方法であって、
基準位相情報として用いるために前記アンテナビーム毎に送信される共通パイロットチャネルを前記基地局から前記回線制御局に要求するステップと、
前記基地局からの要求に応じて前記回線制御局にて前記移動局毎に前記共通パイロットチャネルを設定し、該共通パイロットチャネルを前記基地局及び前記移動局に通知するステップと、
前記回線制御局から通知された共通パイロットチャネルを前記基準位相情報として用いて前記移動局にて前記基地局から送信されてきたデータを復調するステップとを有する。
【００１７】
また、複数のアンテナビームを有する適応アンテナによってデータの送受信を行う基地局と、該基地局との間にてデータの送受信を行う移動局と、前記移動局の無線回線を制御する回線制御局とからなる移動通信システムにおける通信制御方法であって、
前記基地局にて適応アンテナを適用していることを前記回線制御局に報告するステップと、
基準位相情報として個別パイロットチャネルを設定することを前記回線制御局から前記移動局に指示するステップと、
前記移動局にて前記回線制御局からの指示に従って個別パイロットチャネルを前記基準位相情報として設定し、前記個別パイロットチャネルを前記基準位相情報として用いて前記基地局から送信されてきたデータを復調するステップとを有する。
【００１８】
また、移動局毎にアンテナビームを有する適応アンテナによって前記移動局との間にてデータの送受信を行う基地局と、前記移動局の無線回線を制御する回線制御局とからなる移動通信システムにおける通信制御方法であって、
前記基地局にて適応アンテナを適用していることを前記回線制御局に報告するステップと、
基準位相情報として個別パイロットチャネルを設定することを前記回線制御局から前記移動局に指示するステップと、
前記移動局にて前記回線制御局からの指示に従って個別パイロットチャネルを前記基準位相情報として設定し、前記個別パイロットチャネルを前記基準位相情報として用いて前記基地局から送信されてきたデータを復調するステップとを有する。
【００１９】
また、複数のアンテナビームを有する適応アンテナによってデータの送受信を行う基地局と、該基地局との間にてデータの送受信を行う移動局と、前記移動局の無線回線を制御する回線制御局とを有してなる移動通信システムにおいて、
前記基地局は、基準位相情報として用いるために前記複数のアンテナビーム毎に送信される共通パイロットチャネルを前記回線制御局に要求し、
前記回線制御局は、前記基地局からの要求に応じて前記共通パイロットチャネルを設定し、該共通パイロットチャネルを前記基地局及び前記移動局に通知し、
前記移動局は、前記回線制御局から通知された共通パイロットチャネルを前記基準位相情報として用いて前記基地局から送信されてきたデータを復調する。
【００２０】
また、前記回線制御局は、前記基地局から通知された前記アンテナビームの数分の前記共通パイロットチャネルを割り当て、該共通パイロットチャネルを前記基地局に通知し、
前記基地局は、前記回線制御局から通知された複数の共通パイロットチャネルの中から、データを送受信する移動局との間にて最適な共通パイロットチャネルを選択し、該共通パイロットチャネルを送信しているアンテナビームと同じアンテナビームでデータを前記移動局に送信するとともに、該共通パイロットチャネルを前記回線制御局を介して前記移動局に通知し、
前記移動局は、前記基地局から前記回線制御局を介して通知された共通パイロットチャネルを前記基準位相情報として用いて前記基地局から送信されてきたデータを復調する。
【００２１】
また、前記基地局は、前記移動局の位置から該移動局にとって最適な前記共通パイロットチャネルの受信タイミングを検出し、該受信タイミングで送信しているアンテナビームと同じアンテナビームでデータを前記移動局に送信するとともに、該受信タイミングを前記回線制御局を介して前記移動局に通知し、
前記移動局は、前記基地局から前記回線制御局を介して通知された受信タイミングに基づいた共通パイロットチャネルを前記基準位相情報として用いて前記基地局から送信されてきたデータを復調する。
【００２２】
また、前記回線制御局は、前記基地局から通知された前記アンテナビームの数分の前記共通パイロットチャネルを割り当て、該共通パイロットチャネルを前記基地局に通知し、
前記基地局は、前記回線制御局から通知された複数の共通パイロットチャネルを送信しているアンテナビームと同じアンテナビームでデータを前記移動局に送信し、
前記移動局は、前記基地局から送信された前記複数の共通パイロットチャネルの中から受信品質の最も良い共通パイロットチャネル選択し、該共通パイロットチャネルを前記基地局に報告するとともに、該共通パイロットチャネルを前記基準位相情報として設定し、
前記基地局は、前記移動局から報告された共通パイロットチャネルを送信しているアンテナビームを用いて前記移動局にデータを送信する。
【００２３】
また、移動局と、該移動局毎にアンテナビームを有する適応アンテナによって前記移動局との間にてデータの送受信を行う基地局と、前記移動局の無線回線を制御する回線制御局とを有してなる移動通信システムにおいて、
前記基地局は、基準位相情報として用いるために前記アンテナビーム毎に送信される共通パイロットチャネルを前記回線制御局に要求し、
前記回線制御局は、前記基地局からの要求に応じて前記移動局毎に前記共通パイロットチャネルを設定し、該共通パイロットチャネルを前記基地局及び前記移動局に通知し、
前記移動局は、前記回線制御局から通知された共通パイロットチャネルを前記基準位相情報として用いて前記基地局から送信されてきたデータを復調する。
【００２４】
また、複数のアンテナビームを有する適応アンテナによってデータの送受信を行う基地局と、該基地局との間にてデータの送受信を行う移動局と、前記移動局の無線回線を制御する回線制御局とを有してなる移動通信システムにおいて、
前記基地局は、適応アンテナを適用していることを前記回線制御局に報告し、
前記回線制御局は、基準位相情報として個別パイロットチャネルを設定することを前記移動局に指示し、
前記移動局は、前記回線制御局からの指示に従って個別パイロットチャネルを前記基準位相情報として設定し、前記個別パイロットチャネルを前記基準位相情報として用いて前記基地局から送信されてきたデータを復調する。
【００２５】
また、移動局と、該移動局毎にアンテナビームを有する適応アンテナによって前記移動局との間にてデータの送受信を行う基地局と、前記移動局の無線回線を制御する回線制御局とを有してなる移動通信システムにおいて、
前記基地局は、適応アンテナを適用していることを前記回線制御局に報告し、
前記回線制御局は、基準位相情報として個別パイロットチャネルを設定することを前記移動局に指示し、
前記移動局は、前記回線制御局からの指示に従って個別パイロットチャネルを前記基準位相情報として設定し、前記個別パイロットチャネルを前記基準位相情報として用いて前記基地局から送信されてきたデータを復調する。
【００２６】
上記のように構成された本発明においては、基準位相情報として用いるために複数のアンテナビーム毎に送信される共通パイロットチャネルが基地局から回線制御局に要求されると、回線制御局において、基地局からの要求に応じて共通パイロットチャネルが設定され、設定された共通パイロットチャネルが基地局及び移動局に通知される。基地局においては、回線制御局から通知された共通パイロットチャネルを送信するアンテナビームを用いてデータを送受信され、移動局においては、回線制御局から通知された共通パイロットチャネルが基準位相情報として用いられて基地局から送信されてきたデータが復調されることになる。
【００２７】
本発明は、適応アンテナを適用している基地局と通信を行っている移動局において、通信データと同一の通信路変動を受け、アンテナビーム毎に送信される共通パイロットチャネルであるS−CPICHを基準位相情報であるPhase  Referenceとして利用することができる。
【００２８】
また、基地局が、アンテナビーム毎に送信される共通パイロットチャネルであるS−CPICHを基準位相情報であるPhase  Referenceとして送信していない場合に、移動局において、Phase  Referenceとして個別パイロットチャネルを用いることができる。
【図面の簡単な説明】
【００２９】
【図１】本発明の移動通信システムの実施の一形態を示す図である。
【図２】図１に示した基地局の第１の実施の形態における構成を示す図である。
【図３】図１に示した移動局の第１の実施の形態における構成を示す図である。
【図４】図１に示した移動通信システムの第１の実施の形態における移動局の動作を説明するためのフローチャートである。
【図５】図１に示した移動通信システムの第１の実施の形態における基地局の初期設定時の動作を説明するためのフローチャートである。
【図６】図１に示した移動通信システムの第１の実施の形態における基地局の定常状態時の動作を説明するためのフローチャートである。
【図７】図１に示した移動通信システムの第１の実施の形態における回線制御部の動作を説明するためのフローチャートである。
【図８】図１に示した移動通信システムの第１の実施の形態における制御信号の流れを説明するためのシーケンスチャートである。
【図９】図１に示した基地局の第２の実施の形態における構成を示す図である。
【図１０】図１に示した移動通信システムの第２の実施の形態における移動局の動作を説明するためのフローチャートである。
【図１１】図１に示した移動通信システムの第２の実施の形態における基地局の動作を説明するためのフローチャートである。
【図１２】図１に示した移動通信システムの第２の実施の形態における回線制御部の動作を説明するためのフローチャートである。
【図１３】図１に示した移動通信システムの第２の実施の形態における制御信号の流れを説明するためのシーケンスチャートである。
【図１４】図１に示した基地局の第３の実施の形態における構成を示す図である。
【図１５】図１に示した移動局の第３の実施の形態における構成を示す図である。
【図１６】図１に示した移動通信システムの第３の実施の形態における移動局の動作を説明するためのフローチャートである。
【図１７】図１に示した移動通信システムの第３の実施の形態における基地局の初期設定時の動作を説明するためのフローチャートである。
【図１８】図１に示した移動通信システムの第３の実施の形態における基地局の定常状態時の動作を説明するためのフローチャートである。
【図１９】図１に示した移動通信システムの第３の実施の形態における回線制御部の動作を説明するためのフローチャートである。
【図２０】図１に示した移動通信システムの第３の実施の形態における制御信号の流れを説明するためのシーケンスチャートである。
【図２１】本発明の移動通信システムの他の実施の形態を示す図である。
【図２２】図２１に示した基地局の第４の実施の形態における構成を示す図である。
【図２３】図２１に示した移動通信システムの第４の実施の形態における移動局の動作を説明するためのフローチャートである。
【図２４】図２１に示した移動通信システムの第４の実施の形態における基地局の動作を説明するためのフローチャートである。
【図２５】図２１に示した移動通信システムの第４の実施の形態における回線制御局の動作を説明するためのフローチャートである。
【図２６】図２１に示した移動通信システムの第４の実施の形態における制御信号の流れを説明するためのシーケンスチャートである。
【図２７】図１に示した移動通信システムにおいて、図２に示した基地局の構成からS−CPICH生成部を削除し、基地局がS−CPICHを送信しない構成とした場合における移動局の動作を説明するためのフローチャートである。
【図２８】図１に示した移動通信システムにおいて、図２に示した基地局の構成からS−CPICH生成部を削除し、基地局がS−CPICHを送信しない構成とした場合における基地局の動作を説明するためのフローチャートである。
【図２９】図１に示した移動通信システムにおいて、図２に示した基地局の構成からS−CPICH生成部を削除し、基地局がS−CPICHを送信しない構成とした場合における回線制御局の動作を説明するためのフローチャートである。
【発明を実施するための最良の形態】
【００３０】
（第１の実施の形態）
図１は、本発明の移動通信システムの実施の一形態を示す図である。【００３１】
本形態は図１に示すように、回線制御局１と、基地局２と、移動局３とから構成されており、無線アクセスとして直接拡散符号分割多元接続方式を用いるものである。移動局３に送信されるデータがネットワ−クから回線制御局１を経由して基地局２に到着すると、基地局２から、回線制御局１を経由して到着したデータが下り個別データチャネル（DL−DPDCH）により移動局３に送信される。また、移動局３からは、上り個別データチャネル（UL−DPDCH）によりデータが基地局２に送信される。さらに、基地局２においては、移動局３との間にて回線制御信号をやりとりするために下り個別制御チャネル（DL−DPCCH）と上り個別制御チャネル（UL−DPCCH）とが用いられる。【００３２】
回線制御局１は、移動局３の無線回線を制御し、また、基地局２と移動局３との間で回線制御信号をやりとりするための制御回線を設定する。また、ユ−ザデータを有線にて基地局２との間で送受信し、基地局２からの要求に応じてS−CPICHを割り当て、割り当てたS−CPICHを基地局２及び移動局３に通知する機能を有する。【００３３】
基地局２は、同一セル内の移動局３に対して、第１の下り共通パイロットチャネル（P−CPICH）を無指向性のアンテナパタ−ン４を用いて一様に送信する。また、セル内を分割する複数のアンテナビーム５−１〜５−３を有しており、このアンテナビーム５−１〜５−３毎に異なる第２の下り共通パイロットチャネル（S−CPICH）を送信する。なお、アンテナビームの数は、本形態においては３つとしているが、本発明はこれに限らない。また、基地局２は、回線制御局１からデータを受信した場合、複数のアンテナビーム５−１〜５−３の中から移動局３に応じてアンテナビームを１つ選択し、受信したデータと制御信号とを、選択したアンテナビームを使ってそれぞれDL−DPDCHとDL−DPCCHとにより移動局３に送信する。【００３４】
図２は、図１に示した基地局２の第１の実施の形態における構成を示す図である。なお、本形態においては、アンテナ、ユーザ及びアンテナビームの数をそれぞれ、３、２、３としたが、本発明はこれに限らない。【００３５】
図２に示すように、本形態における基地局２においては、アンテナビーム５−１〜５−３のそれぞれに対応して複数のアンテナ１１１−１〜１１１−３及び送受共用器１２１−１〜１２１−３が設けられている。この送受共用器１２１−１〜１２１−３により上り信号と下り信号とが分離される。アンテナ１１１−１〜１１３−３を介して受信された上り信号は、送受共用器１２１−１〜１２１−３にて分離されてアンテナ毎に分配器１３１−１〜１３１−３に入力され、分配器１３１−１〜１３１−３により、ユ−ザと同じ数に分配されてユ−ザ毎に信号受信部１４０−１，１４０−２に入力される。信号受信部１４０−１は、ユ−ザ方向検出器１４１と、ユ−ザデータ復調部１４２とから構成され、信号受信部１４０−２もこれと同一の構成である。また、信号生成部１５０−１は、ユ−ザデータ合成部１５１と、アンテナビーム形成部１５２とから構成され、信号生成部１５０−２もこれと同一の構成である。ユ−ザ方向検出器１４１は、アンテナ１１１−１〜１１１−３における上り信号の受信電力を求め、最大の電力が得られるアンテナ１１１−１〜１１１−３に対応するアンテナビームから移動局３の方向を検出する。検出された移動局３の方向は移動局３毎に信号生成部１５０−１，１５０−２に送られ、下り信号を生成する際に利用される。ユ−ザ方向検出器１４１は、上述した処理によって移動局３の方向が変化したことを検出した場合、その旨を回線制御局１に通知する。一方、最大の電力が得られたアンテナ１１１−１〜１１１−３を介して受信されたデータはユ−ザデータ復調部１４２に入力されて復調され、回線制御局１に送られる。【００３６】
一方、回線制御局１から送られてきたユ−ザデータは、ユーザ毎に信号生成部１５０−１，１５０−２に入力される。信号生成部１５０−１，１５０−２に入力されたユーザデータは、ユ−ザデータ合成部１５１において制御信号と合成されて出力される。ユ−ザデータ合成部１５１から出力された合成信号は、アンテナビーム形成部１５２において、ユ−ザ方向検出部１４１から通知された移動局３の方向に応じたアンテナ１１１−１〜１１１−３毎の重みを乗じることでアンテナ１１１−１〜１１１−３毎の信号に変換される。【００３７】
また、基準位相情報であるPhase  Referenceとして用いられるS−CPICHは、S−CPICHと同数のS−CPICH生成部１６０−１〜１６０−３によって異なるアンテナビーム５−１〜５−３でこのアンテナビーム５−１〜５−３と一対一で対応づけられて送信される。S−CPICH生成部１６０−１は、S−CPICH発生部１６１とアンテナビーム形成部１６２とから構成されており、S−CPICH生成部１６０−２，１６０−３もこれと同一の構成である。S−CPICH発生部１６１にて生成されたS−CPICHは、アンテナビーム形成部１６２に与えられ、アンテナビーム形成部１６２において、S−CPICH発生部１６１にて生成されたS−CPICHを用いてアンテナ信号が形成される。【００３８】
信号生成部１５０−１，１５０−２とS−CPICH生成部１６０−１〜１６０−３にてそれぞれ形成されたアンテナ信号は、それぞれ加算器１３２−１〜１３２−３によりアンテナ１１１−１〜１１１−３毎に加算され、送受共用部１２１−１〜１２１−３及びアンテナ１１１−１〜１１１−３を介して送信される。【００３９】
図３は、図１に示した移動局３の第１の実施の形態における構成を示す図である。【００４０】
本形態は図３に示すように、アンテナ１１２と、送受共用器１２２と、データ復調部１８０と、Phase  Reference検出部１７０と、データ変調部１８０とから構成されている。送受共用器１２２は、上り信号と下り信号とを分離する。アンテナ１１２を介して受信され、送受共用器１２２にて分離された下り信号は、Phase  Reference検出部１７０とデータ復調部１８１とにそれぞれ入力される。Phase  Reference検出部１７０は、送受共用器１２２にて分離された下り信号の中から回線制御局１からの指示を検出し、Phase  Referenceにどの物理チャネルを適用すればよいかを判断する。判断されたPhase  Referenceに関する情報はデータ復調部１９０に送られる。データ復調部１９０では、Phase  Reference検出部１７０から送られてきた情報に従ってフェ−ジングによる通信路変動を計算し、アンテナ１１２を介して受信され、送受共用器１２２にて分離された上り信号のデータの復調を行う。【００４１】
一方、移動局３から基地局２に送信されるデータは、データ変調部１９０にて変調された後、送受共用器１２２を介してアンテナ１１２から送信される。【００４２】
以下に、上記のように構成された移動通信システムにおける動作について説明する。【００４３】
まず、移動局３の動作について説明する。【００４４】
図４は、図１に示した移動通信システムの第１の実施の形態における移動局３の動作を説明するためのフローチャートである。【００４５】
まず、移動局３は、データ通信を開始するにあたって、Phase  Referenceに関する回線制御局１からの指示を確認する（ステップＳ１０１）。回線制御局１から指示がない場合は、Phase  ReferenceとしてP−CPICHを利用する。また、Phase  ReferenceとしてS−CPICHを利用する旨の指示を回線制御局１から受信した場合は、その指示によるS−CPICHをPhase  Referenceに設定し（ステップＳ１０２）、設定したS−CPICH用いてデータ復調を行う（ステップＳ１０３）。【００４６】
その後、データ受信が完了するまで回線制御局１からPhase  Referenceに関する指示があるかどうかを確認する（ステップＳ１０４）。【００４７】
次に、基地局２の動作について説明する。【００４８】
図５は、図１に示した移動通信システムの第１の実施の形態における基地局２の初期設定時の動作を説明するためのフローチャートである。【００４９】
基地局２は、初期設定時においてはまず、セル内に送信可能なアンテナビームの数を回線制御局１に通知し、その数と同数のS−CPICHを回線制御局１に要求する（ステップＳ１０５）。【００５０】
そして、回線制御局１にて割り当てられたS−CPICHが通知された後、通知されたS−CPICHをアンテナビーム毎に割り当てて下り回線で送信を開始する（ステップＳ１０６）。【００５１】
上述した初期設定が完了したら定常状態に移る。【００５２】
図６は、図１に示した移動通信システムの第１の実施の形態における基地局２の定常状態時の動作を説明するためのフローチャートである。【００５３】
定常状態においては、基地局２は、移動局３からの回線接続の要求があるまで待機する（ステップＳ１０７）。【００５４】
移動局３から回線接続が要求された場合、まず、上り回線の信号から移動局３の方向を検出し（ステップＳ１０８）、移動局３の方向に最もアンテナ利得が大きくなるアンテナビームで送信されるS−CPICHを選択し、また、そのアンテナビームを下り回線のアンテナビームとして設定する（ステップＳ１０９）。【００５５】
また、ステップＳ１０９にて設定されたS−CPICHの情報を回線制御局１に通知する（ステップＳ１１０）。【００５６】
その後、割り当てたアンテナビームにより移動局３との間にてデータの送受信を行いながら定期的に上り信号を使って移動局３の方向を検出し、現在用いているアンテナビームと移動局３の方向の検出により得られるアンテナビームとが一致しているかどうかを確認し（ステップＳ１１１）、両者が一致しなくなった場合、移動局３の方向の検出により得られるアンテナビームに切り替え（ステップＳ１１２）、ステップＳ１１０における処理に戻り、切り替えたアンテナビームに割り当てられているS−CPICHに関する情報を回線制御局１に通知する。【００５７】
そして、通信が終了するまで移動局３の方向の検出結果を監視する（ステップＳ１１３）。【００５８】
次に、回線制御局１の動作について説明する。【００５９】
図７は、図１に示した移動通信システムの第１の実施の形態における回線制御部１の動作を説明するためのフローチャートである。【００６０】
回線制御部１は、初期動作として基地局２からS−CPICHの割り当てが要求されたら、要求された数と同数のS−CPICHを割り当てる（ステップＳ１１４）。【００６１】
その後、通信が終了するまで（ステップＳ１１５）、基地局２にて移動局３に割り当てたS−CPICHの情報を基地局２から受け取った場合（ステップＳ１１６）、基地局２から受け取ったS−CPICHをPhase  Referenceとして適用する指示を移動局３に送信する（ステップＳ１１７）。初期設定が終了した回線制御局１は、通信が終了するまで常に基地局２からのS−CPICHの設定または変更の通知を待ちつづける。【００６２】
次に、上述した回線制御局１、基地局２及び移動局３での制御信号の流れを説明する。【００６３】
図８は、図１に示した移動通信システムの第１の実施の形態における制御信号の流れを説明するためのシーケンスチャートである。【００６４】
まず、基地局２は、回線制御局１に対して送信可能なアンテナビームの数を通知し、同数のS−CPICHを割り当てるように要求を送信する。【００６５】
すると、回線制御局１は、基地局２からの要求に応じてS−CPICHを割り当て、割り当てたS−CPICHを基地局２に通知する。【００６６】
次に、基地局２は、接続要求のある移動局３の方向に応じて、移動局３がPhase  Referenceとして利用すべきS−CPICHを設定し、設定したS−CPICHを回線制御局１に通知する。【００６７】
すると、回線制御局１は、基地局２にて設定されたS−CPICHをPhase  Referenceとして適用する指示を移動局３に送信する。【００６８】
移動局３は、回線制御局１からの指示に従って、基地局２にて設定されたS−CPICHをPhase  Referenceとして適用し、基地局２から送信されてきたデータの復調を行う。【００６９】
その後、基地局２は、定期的に移動局３への送信に用いるアンテナビームを検出して、アンテナビームを変更する場合には、回線制御局１にアンテナビームを変更することを通知する。【００７０】
回線制御局１は、基地局２からアンテナビームの変更通知を受け取ったら、移動局３に対してPhase  Referenceを変更するように指示を出す。【００７１】
移動局３は、回線制御局１からPhase  Referenceの変更の指示を受けた場合、指示を受けたS−CPICHをPhase  Referenceとしてデータの復調を行う。【００７２】
上述したように本形態においては、基地局２がアンテナビーム毎に異なるS−CPICHを割り当て、移動局３の方向に最も近いアンテナビームでデータを送信するとともにS−CPICHに関する情報を移動局３に通知するので、移動局３はデータと同一の通信路変動を得たS−CPICHをPhase  Referenceとして利用することができる。【００７３】
（第２の実施の形態）
本形態におけるシステム構成は、図１に示したものと同様に、回線制御部１と、基地局２と、移動局３とからなる。【００７４】
基地局２は、同一セル内の移動局３に対して、第１の下り共通パイロットチャネル（P−CPICH）を無指向性のアンテナパタ−ン４を用いて一様に送信する。また、セル内を分割する複数のアンテナビーム５−１〜５−３を有しており、このアンテナビーム５−１〜５−３毎に異なる第２の下り共通パイロットチャネル（S−CPICH）を、アンテナビームを一定周期で順番に切り替えて送信する。なお、基地局２は、回線制御局１からデータを受信した場合、複数のアンテナビーム５−１〜５−３の中から移動局３に対してアンテナビームを１つ選択し、受信したデータと制御信号とを、選択したアンテナビームを使ってそれぞれDL−DPDCHとDL−DPCCHとにより移動局３に送信する。【００７５】
図９は、図１に示した基地局２の第２の実施の形態における構成を示す図である。なお、本形態においては、アンテナ、ユーザ及びアンテナビームの数をそれぞれ、３、２、３としたが、本発明はこれに限らない。【００７６】
本形態における基地局２は図９に示すように、図２に示したものに対して、S−CPICH生成部２６０の構成のみが異なるものである。【００７７】
本形態におけるS−CPICH生成部２０６は、回線制御局１から指示されたS−CPICHを発生させるS−CPICH発生部２６１と、一定時間でアンテナビームを切り替えてアンテナ信号に変換するアンテナビーム切り替え部２６３とから構成され、アンテナビームの数にかかわらず１つである。【００７８】
また、本形態における移動局３の構成は、図３に示したものと同一である。【００７９】
以下に、上記のように構成された移動通信システムにおける動作について説明する。【００８０】
まず、移動局３の動作について説明する。【００８１】
図１０は、図１に示した移動通信システムの第２の実施の形態における移動局３の動作を説明するためのフローチャートである。【００８２】
まず、移動局３は、データ通信を開始するにあたって、Phase  Referenceに関する回線制御局１からの指示を確認する（ステップＳ２０１）。回線制御局１から指示がない場合は、Phase  ReferenceとしてP−CPICHを利用する。また、Phase  ReferenceとしてS−CPICHを利用する旨の指示を回線制御局１から受信した場合は、その指示によるS−CPICHをPhase  Referenceに設定する（ステップＳ２０２）。【００８３】
また、S−CPICHは時分割で基地局２から送信されるので、受信タイミングを同期させる必要がある。受信タイミングは、回線制御局１から送信されてくる制御情報により、スロット番号あるいはフレ−ム番号と周期とが通知されるので、その情報に基づいてS−CPICHの受信タイミングを検出する（ステップＳ２０３）。【００８４】
そして、S−CPICHをPhase  Referenceとしてフェ−ジングによる位相の補正量を求め、基地局から送信されてくるデータの復調を行う（ステップＳ２０４）。【００８５】
その後、データ受信が完了するまで回線制御局１からPhase  Referenceに関する指示があるかどうかを確認する（ステップＳ２０５）。【００８６】
次に、基地局２の動作について説明する。【００８７】
図１１は、図１に示した移動通信システムの第２の実施の形態における基地局２の動作を説明するためのフローチャートである。【００８８】
まず、初期動作として、基地局２は、回線制御局１にS−CPICHを１つ要求する。S−CPICHが割り当てられた基地局２は一定時間毎にアンテナビームを切り替えながらS−CPICHを送信する。【００８９】
基地局２は、接続する移動局３の上り回線を受信する方向から下り回線に用いるアンテナビームを設定する（ステップＳ２０６）。【００９０】
アンテナビームが設定されると、そのアンテナビームを使って既に送信を開始しているS−CPICHのスロット番号またはフレ−ム番号を調べ、それにより、S−CPICHの移動局３における受信タイミングを検出し（ステップＳ２０７）、基地局２は移動局３に対してS−CPICHの受信タイミングに関する情報（スロット番号またはフレ−ム番号と周期）を回線制御局１を介して通知する（ステップＳ２０８）。【００９１】
その後、設定されたアンテナビームにより通信を行いながら定期的に上り信号を使って移動局３の方向を検出し、現在用いているアンテナビームと移動局３の方向の検出により得られるアンテナビームとが一致しているかどうかを確認し（ステップＳ２０９）、両者が一致しなくなった場合、移動局３の方向の検出により得られるアンテナビームに切り替え（ステップＳ２１０）、ステップＳ２０８における処理に戻り、切り替えたビームによるS−CPICHの受信タイミングに関する情報（スロット番号またはフレ−ム番号と周期）を回線制御局１を介して通知する。【００９２】
そして、通信が終了するまで移動局３の方向の検出結果を監視する（ステップＳ２１１）。これにより、移動局３にとって最適なS−CPICHの受信タイミングを検出することになる。【００９３】
次に、回線制御局１の動作について説明する。【００９４】
図１２は、図１に示した移動通信システムの第２の実施の形態における回線制御部１の動作を説明するためのフローチャートである。【００９５】
回線制御部１は、初期動作として基地局２からS−CPICHの割り当てが要求されたら、要求に応じてS−CPICHを割り当てる（ステップＳ２１２）。【００９６】
その後、通信が終了するまで（ステップＳ２１３）、基地局２から移動局３のS−CPICHの受信タイミングに関する情報が通知された場合（ステップＳ２１４）、移動局３に対して、Phase  ReferenceとしてS−CPICHを適用する指示を送信するとともに受信タイミングに関する情報も送信する（ステップＳ２１５）。【００９７】
そして、移動局３の通信が終了するまでこの動作を繰り返す。【００９８】
次に、上述した回線制御局１、基地局２及び移動局３での制御信号の流れを説明する。【００９９】
図１３は、図１に示した移動通信システムの第２の実施の形態における制御信号の流れを説明するためのシーケンスチャートである。【０１００】
まず、基地局２は、回線制御局１に対して１つのS−CPICHを割り当てるように要求を出す。【０１０１】
回線制御局１は、基地局２から要求を受けた場合、基地局２に対してS−CPICHを割り当て、基地局２に通知する。【０１０２】
また、基地局２は、接続要求のある移動局３がPhase  Referenceとして受信すべきS−CPICHの受信タイミングを回線制御局１に通知する。【０１０３】
回線制御局１は、基地局２から移動局３のS−CPICHの受信タイミングを受け取った場合、移動局３に対してPhase  ReferenceにS−CPICHを利用する指示と受信タイミングを送信する。【０１０４】
移動局３は、回線制御局１からPhase  Referenceの変更の指示を受けたら、指示を受けたS−CPICHを指定された受信タイミングでPhase  Referenceとして復調を行う。【０１０５】
その後、基地局２は、定期的に移動局３への送信に用いるアンテナビームを確認して、アンテナビームを変更する場合には、回線制御局１にアンテナビームを変更することと新しい受信タイミングを通知する。【０１０６】
回線制御局１は、基地局２からアンテナビームの変更通知を受け取った場合、移動局３に対してPhase  Referenceの受信タイミングを変更するように指示を送信する。【０１０７】
このように本形態においては、基地局２がS−CPICHを送信するアンテナビームを時間的に切り替え、移動局３の方向に最も近いアンテナビームでデータを送信し、データ送信をしているアンテナビームと同時刻にS−CPICHを送信するタイミングを移動局３に通知するので、移動局３はデータと同一の通信路変動を得たS−CPICHをPhase  Referenceとして利用することができる。【０１０８】
（第３の実施の形態）
本形態におけるシステム構成は、図１に示したものと同様に、回線制御部１と、基地局２と、移動局３とからなる。【０１０９】
図１４は、図１に示した基地局２の第３の実施の形態における構成を示す図である。【０１１０】
図１４に示すように本形態における基地局２は、図２に示したものに対して信号受信部３４０−１，３４０−２が異なる構成となっている。図２に示したものにおいては、ユ−ザ方向検出器１４１により、移動局３の方向を信号生成部１５０−１，１５０−２に通知しているが、本形態においては通知を行わない。その代わり、信号受信部３４０−１，３４０−２に、Phase  Reference候補検出部３４３を追加し、ユ−ザデータ復調部３４２から出力された個別制御情報から移動局３が報告する受信電力が最大となるS−CPICHを検出する。Phase  Reference候補検出部３４３は、移動局３から通知されるS−CPICHが送信された方向を信号生成部３５０−１，３５０−２内のアンテナビーム形成部３５２に通知する。信号生成部３５０−１，３５０−２では、Phase  Reference候補検出部３４３の出力に基づき、アンテナビームを形成してユ−ザデータをアンテナ信号に変換する。【０１１１】
図１５は、図１に示した移動局３の第３の実施の形態における構成を示す図である。【０１１２】
本形態における移動局３は図１５に示すように、図３に示したものに対して、Phase  Reference検出部３７０にて、回線制御局１から通知された全てのS−CPICHの受信電力を測定し、電力が最大となるS−CPICHの情報をデータ変調部３９０に入力し、データ変調部３９０にて、Phase  Reference検出部３７０から得られるS−CPICHの情報を個別制御データとしてデータとともに送信することで基地局２に受信電力が最大となるS−CPICHを報告する点のみが異なるものである。【０１１３】
以下に、上記のように構成された移動通信システムにおける動作について説明する。【０１１４】
まず、移動局３の動作について説明する。【０１１５】
図１６は、図１に示した移動通信システムの第３の実施の形態における移動局３の動作を説明するためのフローチャートである。【０１１６】
移動局３は、回線制御局１から基地局２がBeam−formingを行っていることが通知され、アンテナビームで送信されているS−CPICHの情報を一定の周期で取得すると（ステップＳ３０１）、取得したS−CPICH毎に受信感度（受信電力）を比較し、最も大きな電力で受信するS−CPICHを求め（ステップＳ３０２）、それにより、受信品質の最も良いS−CPICHを選択する。【０１１７】
そして、測定するまで最大であったS−CPICHと測定して得られたS−CPICHとが異なる場合は（ステップＳ３０３）、その旨を基地局２に個別データ回線を介して報告するとともに、Phase  Referenceとして比較後のS−CPICHを設定する（ステップＳ３０４）。【０１１８】
そして、設定したS−CPICHを用いて、基地局２から送信されてきたデータの復調を行う（ステップＳ３０５）。その後、通信が終了するまで、データの復調を続けながら定期的にS−CPICHの感度比較を行う（ステップＳ３０６）。【０１１９】
次に、基地局２の動作について説明する。【０１２０】
図１７は、図１に示した移動通信システムの第３の実施の形態における基地局２の初期設定時の動作を説明するためのフローチャートである。【０１２１】
基地局２は、初期設定時においてはまず、Beam−formingを行っていることを回線制御局１に通知するとともに、アンテナビーム数を回線制御局１に通知し、Phase  Referenceに用いるS−CPICHをアンテナビーム数分要求する（ステップＳ３０７）。【０１２２】
そして、回線制御局１にて割り当てられたS−CPICHが通知された後、S−CPICHを割り当てて下り回線で送信を開始する（ステップＳ３０８）。【０１２３】
上述した初期設定が完了したら定常状態に移る。【０１２４】
図１８は、図１に示した移動通信システムの第３の実施の形態における基地局２の定常状態時の動作を説明するためのフローチャートである。【０１２５】
基地局２は、まず、移動局３の上り回線から移動局３の方向を検出し、移動局３の方向に送信するアンテナパタ−ンを有するアンテナビームを設定し、このアンテナパターンを用いて移動局３にデータを送信する（ステップＳ３０９）。【０１２６】
そして、移動局３から報告される受信電力が最大となるS−CPICHの情報を取得した後（ステップＳ３１０）、報告されたS−CPICHを送信しているアンテナビームと現在データを送信しているアンテナビームを比較し（ステップＳ３１１）、両者が一致した場合は、ビームの切り替えは行わずに通信を継続する。もし、両者が一致しない場合は、データを送信しているビームを、移動局３から報告されたビームに切り替えて送信を行う（ステップＳ３１２）。【０１２７】
その後、通信が終了するまで、移動局３から定期的に報告されるS−CPICHの情報を用いてビーム切り替えの判断を継続して行う（ステップＳ３１３）。【０１２８】
次に、回線制御局１の動作について説明する。【０１２９】
図１９は、図１に示した移動通信システムの第３の実施の形態における回線制御部１の動作を説明するためのフローチャートである。【０１３０】
回線制御局１は、基地局２からの要求に応じてS−CPICHを割り当て（ステップＳ３１４）、割り当てたS−CPICHを基地局２に通知する。【０１３１】
その後、移動局３に対して、回線制御局１が基地局２に対して割り当てた全てのS−CPICHを通知し、Phase  ReferenceとしてS−CPICHを適用することを指示する（ステップＳ３１５）。【０１３２】
次に、上述した回線制御局１、基地局２及び移動局３での制御信号の流れを説明する。【０１３３】
図２０は、図１に示した移動通信システムの第３の実施の形態における制御信号の流れを説明するためのシーケンスチャートである。【０１３４】
まず、基地局２は、回線制御局１にS−CPICHを要求する。【０１３５】
回線制御局１は、S−CPICHを割り当てたら、割り当てたS−CPICHを基地局２に通知するとともに、基地局２に割り当てたS−CPICHの情報を移動局３に通知する。【０１３６】
移動局３は、回線制御局１から通知されたS−CPICHに対して品質測定（受信電力）を行い、測定結果を基地局２に報告する。測定結果の報告は、通信中は一定の周期で行う。【０１３７】
このように本形態においては、基地局２がアンテナビーム毎に異なるS−CPICHを割り当て、移動局３からのS−CPICHの受信品質に関する報告を利用して、データとS−CPICHを同じアンテナビームにより送信するので、移動局３はデータと同一の通信路変動を得たS−CPICHをPhase  Referenceとして利用することができる。【０１３８】
また、本形態においては、アンテナビームの変更時に回線制御局１を介さずに基地局２が移動局３から報告される情報に基づいて変更を行うので、回線制御局１を介してアンテナビームを変更する場合に比べて切り替え時間を短くすることができる。また、回線制御局１に情報を通知しないので、回線制御局１の負荷を低減することができる。【０１３９】
（第４の実施の形態）
図２１は、本発明の移動通信システムの他の実施の形態を示す図である。【０１４０】
本形態は図２１に示すように、図１に示したものに対して、回線制御局１、基地局２及び移動局３から構成される点は同一であるが、基地局２が送信する共通パイロットチャネルの送信方法が異なる。本形態においては、基地局２は、移動局３毎に異なるアンテナビーム５を形成し、そのアンテナビーム５によってS−CPICHを送信する。従って、S−CPICHを送信するアンテナビーム５は移動局３と同じ数だけ必要となる。【０１４１】
図２２は、図２１に示した基地局２の第４の実施の形態における構成を示す図である。【０１４２】
本形態における基地局２は図２２に示すように、図２に示したものに対して、S−CPICH生成部１６０−１〜１６０−３がなく、信号生成部４５０−１，４５０−２にS−CPICH発生部４５３が設けられている点と、ユ−ザ方向検出部１４１の代わりにアンテナ合成部４４４が設けられている点のみが異なるものである。【０１４３】
信号生成部４５０−１，４５０−２では、S−CPICH発生部４５３で生成したS−CPICHをユ−ザデータ合成部４５１に入力する。ユ−ザデータ合成部４５１では、回線制御局１から送られてきたデータと制御情報とを合成し、S−CPICHを多重する。多重された信号はアンテナビーム形成部４５２に入力され、アンテナ信号に変換される。【０１４４】
そして、ユ−ザ毎にS−CPICHを多重したアンテナ信号を加算器４３２−１〜４３２−３により合成し、送受共用器４２１−１〜４２１−３及びアンテナ４１１−１〜４１１−３を介して送信する。【０１４５】
また、基地局２は、移動局３毎にアンテナビームを持ち、適応的にアンテナビームを更新する。アンテナ合成部４４４で用いたアンテナビームは信号生成部４５０−１，４５０−２に送られ、上り回線で用いたアンテナビームから下り回線で用いるアンテナビームに変換してアンテナビーム形成部４５２で用いられる。【０１４６】
また、本形態における移動局３の構成は、図３に示したものと同一である。【０１４７】
以下に、上記のように構成された移動通信システムにおける動作について説明する。【０１４８】
まず、移動局３の動作について説明する。【０１４９】
図２３は、図２１に示した移動通信システムの第４の実施の形態における移動局３の動作を説明するためのフローチャートである。【０１５０】
まず、移動局３は、データ通信を開始するにあたって、Phase  Referenceに関する回線制御局１からのPhase  Referenceに関する指示を確認する（ステップＳ４０１）。回線制御局１から指示がない場合は、Phase  ReferenceとしてP−CPICHを利用する。また、Phase  ReferenceとしてS−CPICHを利用する指示を回線制御部１から受信した場合は、その指示によるS−CPICHをPhase  Referenceに設定し（ステップＳ４０２）、設定したS−CPICHを用いて、基地局２から送信されてきたデータの復調を行う（ステップＳ４０３）。【０１５１】
その後、データ受信が完了するまでデータ復調を行う（ステップＳ４０４）。【０１５２】
次に、基地局２の動作について説明する。【０１５３】
図２４は、図２１に示した移動通信システムの第４の実施の形態における基地局２の動作を説明するためのフローチャートである。【０１５４】
基地局２はまず、回線制御局１に対して接続する移動局３毎にS−CPICHを要求する（ステップＳ４０５）。【０１５５】
また、アンテナビームを、上り回線用に得られたアンテナビームから下り回線用に変換し、移動局３毎にアンテナビームを形成する（ステップＳ４０６）。【０１５６】
そして、回線制御局１によりS−CPICHが割り当てられたら、このS−CPICHとユ−ザデータ信号とを多重して送信する（ステップＳ４０７）。【０１５７】
その後、上述したステップＳ４０６，Ｓ４０７における処理を通信終了まで継続して行う（ステップＳ４０８）。【０１５８】
次に、回線制御局１の動作について説明する。【０１５９】
図２５は、図２１に示した移動通信システムの第４の実施の形態における回線制御局１の動作を説明するためのフローチャートである。【０１６０】
回線制御局１は、基地局２からの要求に応じて、移動局３毎に異なるS−CPICHを割り当てる（ステップＳ４０９）。【０１６１】
そして、移動局３毎にS−CPICHを割り当てたら、割り当てたS−CPICHの情報を基地局２及び移動局３に通知し、Phase  Referenceに通知したS−CPICHを適用する指示を行う（ステップＳ４１０）。【０１６２】
次に、上述した回線制御局１、基地局２及び移動局３での制御信号の流れを説明する。【０１６３】
図２６は、図２１に示した移動通信システムの第４の実施の形態における制御信号の流れを説明するためのシーケンスチャートである。【０１６４】
基地局２が、回線制御局１にS−CPICHの割り当て要求を送信すると、回線制御局１は、移動局３毎にS−CPICHを割り当て、割り当てたS−CPICHの情報を基地局２に通知するとともに、移動局３に対して、割り当てたS−CPICHをPhase  Referenceとして適用することを指示する。【０１６５】
このように本形態においては、基地局２が移動局３の方向に応じたアンテナビームを形成し、データとS−CPICHを形成したアンテナビームにより送信するので、移動局３は同一の通信路変動を受けたS−CPICHをPhase  Referenceとして利用することができる。【０１６６】
（第５の実施の形態）
図１に示した移動通信システムにおいて、図２に示した基地局２の構成からS−CPICH生成部１６０−１〜１６０−３を削除し、基地局２がS−CPICHを送信しない構成とすることも考えられる。【０１６７】
以下に、上述した構成における移動通信システムにおける動作について説明する。【０１６８】
まず、移動局３の動作について説明する。【０１６９】
図２７は、図１に示した移動通信システムにおいて、図２に示した基地局２の構成からS−CPICH生成部１６０−１〜１６０−３を削除し、基地局２がS−CPICHを送信しない構成とした場合における移動局３の動作を説明するためのフローチャートである。【０１７０】
移動局３は、回線制御局１から基地局２がBeam−formingを適用しているという通知と、Phase  Referenceとして個別パイロットチャネルを設定する指示とを受けた場合、Phase  Referenceとして個別パイロットチャネルを設定する（ステップＳ５０１）。【０１７１】
そして、個別パイロットチャネルから通信路の変動を推定し、基地局２から送信されてきたデータの復調を行い（ステップＳ５０２）、通信が終了するまで繰り返す（ステップＳ５０３）。【０１７２】
次に、基地局２の動作について説明する。【０１７３】
図２８は、図１に示した移動通信システムにおいて、図２に示した基地局２の構成からS−CPICH生成部１６０−１〜１６０−３を削除し、基地局２がS−CPICHを送信しない構成とした場合における基地局２の動作を説明するためのフローチャートである。【０１７４】
基地局２は、回線制御局１にBeam−formingを適用していることを通知する（ステップＳ５０４）。【０１７５】
また、基地局２は、移動局３の上り回線から移動局３の方向を一定の周期で検出し（ステップＳ５０５）、検出結果と現在送信しているアンテナビームのよる方向とを比較し（ステップＳ５０６）、両者が一致していない場合は、アンテナビームを更新する（ステップＳＳ５０７）。【０１７６】
検出結果と現在送信しているアンテナビームのよる方向とが一致している場合、または、ステップＳ５０７にてアンテナビームを更新した後、そのアンテナビームでデータを移動局３に送信し（ステップＳ５０８）、データがなくなるまで移動局３の方向の検出を行いながら通信を行う（ステップＳ５０９）。【０１７７】
次に、回線制御局１の動作について説明する。【０１７８】
図２９は、図１に示した移動通信システムにおいて、図２に示した基地局２の構成からS−CPICH生成部１６０−１〜１６０−３を削除し、基地局２がS−CPICHを送信しない構成とした場合における回線制御局１の動作を説明するためのフローチャートである。【０１７９】
回線制御局１は、基地局２がBeam−formingを適用していることを基地局２から通知されると（ステップＳ５１０）、基地局２がBeam−formingを適用している旨と、Phase  Referenceとして個別パイロットチャネルを設定する指示とを移動局３に通知する（ステップＳ５１１）。【０１８０】
次に、本形態における制御信号の流れを説明する。【０１８１】
基地局２がBeam−formingを適用していることを回線制御局１に通知すると、回線制御局１は、基地局２がBeam−formingを適用していることを移動局３に通知する。【０１８２】
このように本形態においては、回線制御局１が移動局３にPhase  Referenceとして個別パイロットを適用するように指示を出すので、データと同じ通信路変動を受けたPhase  Referenceを得ることができる。【０１８３】
（第６の実施の形態）
図２１に示した移動通信システムにおいて、図２２に示した基地局２の構成からS−CPICH発生部４５３を削除し、基地局２がS−CPICHを送信しない構成とすることも考えられる。【０１８４】
本形態における移動局３及び回線制御局１の動作は、第５の実施の形態に示したものと同様である。【０１８５】
また、本形態における基地局２の動作は、第４の実施の形態に示したステップＳ４０７にて、データにS−CPICHを多重せず、基地局２からS−CPICHを送信しない点だけが異なり、その他の動作は同じである。【０１８６】
また、制御信号のフロ−は第５の実施の形態にて示したものと同一である。【０１８７】
本形態においては、回線制御局１が移動局３にPhase  Referenceとして個別パイロットを適用するように指示を出すので、データと同じ通信路変動を受けたPhase  Referenceを得ることができる。【０１８８】
上述した６つの実施の形態にて説明したように、本発明においては、基地局２は移動局３へのデータ送信と同じアンテナビームを用いてPhase  Referenceを送信することが可能である。従って、移動局３は、適応アンテナを適用した基地局２と接続している場合に、通信路変動を表す最適なPhase  Referenceを選択することが可能となる。【０１８９】
なお、本発明においては、回線制御局１及び基地局２内の処理は上述の専用のハードウェアにより実現されるもの以外に、その機能を実現するためのプログラムを回線制御局１及び基地局２にて読取可能な記録媒体に記録し、この記録媒体に記録されたプログラムを回線制御局１及び基地局２に読み込ませ、実行するものであっても良い。回線制御局１及び基地局２にて読取可能な記録媒体とは、フロッピーディスク、光磁気ディスク、ＤＶＤ、ＣＤなどの移設可能な記録媒体の他、回線制御局１及び基地局２に内蔵されたＨＤＤ等を指す。この記録媒体に記録されたプログラムは、例えば、制御ブロックにて読み込まれ、制御ブロックの制御によって、上述したものと同様の処理が行われる。
【図１】
0004677990.tif 000002
【図２】
0004677990.tif 000003
【図３】
0004677990.tif 000004
【図４】
0004677990.tif 000005
【図５】
0004677990.tif 000006
【図６】
0004677990.tif 000007
【図７】
0004677990.tif 000008
【図８】
0004677990.tif 000009
【図９】
0004677990.tif 000010
【図１０】
0004677990.tif 000011
【図１１】
0004677990.tif 000012
【図１２】
0004677990.tif 000013
【図１３】
0004677990.tif 000014
【図１４】
0004677990.tif 000015
【図１５】
0004677990.tif 000016
【図１６】
0004677990.tif 000017
【図１７】
0004677990.tif 000018
【図１８】
0004677990.tif 000019
【図１９】
0004677990.tif 000020
【図２０】
0004677990.tif 000021
【図２１】
0004677990.tif 000022
【図２２】
0004677990.tif 000023
【図２３】
0004677990.tif 000024
【図２４】
0004677990.tif 000025
【図２５】
0004677990.tif 000026
【図２６】
0004677990.tif 000027
【図２７】
0004677990.tif 000028
【図２８】
0004677990.tif 000029
【図２９】
0004677990.tif 000030